(57)【特許請求の範囲】
【請求項１】
便器に便座と便蓋を回動自在に設け、便座に暖房手段を付設した暖房便器であって、便蓋に便座の前部及び両側部を覆う覆い片を垂下し、便蓋に便座の回動用の左右の枢支箇所よりも外側方の側部後端面を覆う側部後端覆い片を延出し、更に便蓋に、便座の回動用の左右の枢支箇所間の後端部を覆うフラップ覆い体を揺動自在に設けて成ることを特徴とする暖房便器。
【発明の詳細な説明】
【０００１】
【発明の属する技術分野】
本発明は、暖房便座に関し、詳しくは、便座の暖房温度の低下を便蓋を利用することで効果的に防止しようとする技術に係るものである。
【０００２】
【従来の技術】
従来、便器に便座と便蓋を回動自在に設け、便座に暖房手段を付設した暖房便器においては、便座の上に便蓋を載置させるものであって、便座の上面からの放熱は防止できるが、便座の外周側面及び後端面からの放熱を防止することができず、便座の暖房効率が低下するものとなっていた。
【０００３】
【発明が解決しようとする課題】
本発明はこのような問題を解消しようとするものであり、便座の暖房温度の低下を便蓋を利用することで効果的に防止することができる暖房便器を提供することを課題とするものである。
【０００４】
【課題を解決するための手段】
請求項１においては、便器１に便座２と便蓋３を回動自在に設け、便座２に暖房手段を付設した暖房便器であって、便蓋３に便座２の前部２ａ及び両側部２ｂ，２ｂを覆う覆い片５を垂下し、便蓋３に便座２の回動用の左右の枢支箇所よりも外側方の側部後端面２ｃ，２ｃを覆う側部後端覆い片１３，１３を延出し、更に便蓋３に、便座２の回動用の左右の枢支箇所間の後端部を覆うフラップ覆い体７を揺動自在に設けてあることを特徴とするものである。このような構成によれば、便座２の前部２ａ及び両側部２ｂ，２ｂを便蓋３の外周部から垂下した覆い片５にて覆うことができ、暖房手段にて暖房されている便座２からの放熱を防止することができるものである。
【０００５】
また、請求項１においては、便蓋３に、便座２の回動用の左右の枢支箇所よりも外側方の側部後端面２ｃ，２ｃを覆う側部後端覆い片１３，１３を延出してあることを特徴とするものである。このような構成によれば、便座２の枢支箇所よりも外側方の側部後端面２ｃ，２ｃからの放熱を防止することができるものである。
【０００６】
更に、請求項１においては、便蓋３に、便座２の回動用の左右の枢支箇所間の後端部を覆うフラップ覆い体７を揺動自在に設けてあることを特徴とするものである。このような構成によれば、便座２の左右の枢支箇所間の後端部を覆うことができ、便座２の左右の枢支箇所間の後端部からの放熱を防止することができるものである。しかも、フラップ覆い体７は便蓋３に対して揺動自在に連結していて、便蓋３を持ち上げた場合にフラップ覆い体７が使用者の背中に当たるのを回避することができ、使いやすいものである。
【０００７】
【発明の実施の形態】
以下、本発明の実施の形態を図面に基づいて説明する。図１は斜視図、図２（ａ）は便蓋を閉じた状態の斜視図、同図（ｂ）は便器１の斜視図、図３はフラップ覆い体を示し、同図（ａ）は起立姿勢の斜視図、同図（ｂ）は倒立姿勢の斜視図、図４は便蓋３の開放状態におけるフラップ覆い体７を示す断面図、図５は便蓋３の閉じ状態におけるフラップ覆い体７を示す断面図である。
【０００８】
図１及び図２に示すように、陶器製の便器１の取付け孔８にボルト等にて略水平に支持軸９が固定され、支持軸９に便座２が軸受け１０を介して回動自在に取付けられ、又、支持軸９に保持部１１を介して便蓋３が回動自在に取付けられている。更に、便器１には温水洗浄装置が付設され、その制御部及び便座２の裏側に付設したヒータ部（暖房手段：図示せず）に給電する制御部を内蔵した制御部ケーシング６が便器１の後方上部に取付けられている。
【０００９】
便蓋３には、便座２の前部２ａ及び両側部２ｂ，２ｂを覆う覆い片５を垂下するとともに、便座２の回動用の左右の枢支箇所１２，１２よりも外側方の側部後端面２ｃ，２ｃを覆う側部後端覆い片１３，１３を延出している。
【００１０】
しかして、便座２の前部２ａ及び両側部２ｂ，２ｂを便蓋３の外周部から垂下した覆い片５にて覆うことができ、暖房手段にて暖房されている便座２からの放熱を防止することができるものであり、更に、便座２の枢支箇所１２，１２よりも外側方で、便座２と制御部ケーシング６との間の隙間に便蓋３から延出されている側部後端覆い片１３，１３が入り込み、便座２の側部後端面２ｃからの放熱を防止するものである。
【００１１】
ところで、便座２の左右の枢支箇所１２，１２間の後端部を覆ってこの箇所から熱気が背部上方に抜けることによる放熱を防止するようにしている。以下、詳述する。
【００１２】
図６に示すように、便蓋３の保持部１１には、Ｃ字状の金具１４が取付けられて支持軸９に挿合されて便蓋３が回動自在になっているのであり、保持部１１の背面には、凹部１５が形成されている。カバー状で凹部２２を形成しているフラップ覆い体７の左右端部には突部１６，１６が突設され、この突部１６，１６が対向する保持部１１，１１の凹部１５，１５に挿入されてフラップ覆い体７を自重にて揺動自在に保持部１１，１１間に架設している。
【００１３】
しかして、便蓋３の回動にかかわらずフラップ覆い体７が便座２の枢支箇所１２，１２間の後端部を閉塞して、便座２の枢支箇所１２，１２間の後端部から熱気が上昇することによる放熱を防いでいる。
【００１４】
ところで、フラップ覆い体７はその安定姿勢においては、斜めになっていて、便蓋３を持ち上げ回動した場合に使用者に斜めになることで圧迫感を与えないようにしている。
【００１５】
フラップ覆い体７には係止片１７，１７が突出され、係止片１７が便座２の軸受け１０の端縁に係止してフラップ覆い体７の回動範囲を位置決めしている。フラップ覆い体７には受け部１８が形成されている。一方、便蓋３の保持部１１には突起１９が設けられている。
【００１６】
しかして、便蓋３をフラップ覆い体７を保持している状態でＣ字状の金具１４を介して支持軸９から外し、便蓋３の掃除等を終えた後、便蓋３の保持部１１を再度、支持軸９に挿合して取付けた場合に、図７に示すように、フラップ覆い体７が所定の位置から外れてセットされた場合に、便蓋３を閉じ側に回動させれば、便蓋３の保持部１１の突起１９がフラップ覆い体７の受け部１８を押圧してフラップ覆い体７を押して回動させ、フラップ覆い体７の係止片１７が便座２側の軸受け１０の端縁に弾性的に係合して、フラップ覆い体７を正しい位置にセットすることができるようにしている。
【００１７】
便蓋２の後端部は円弧部２１が形成されて便蓋２の起立回動時に制御部ケーシング６に当接するのを回避するようにしている。
【００１８】
図８は他の実施の形態を示す動作説明図であり、但し、本実施の形態の基本構成は上記実施の形態と共通であり、共通する部分には同一の符号を付して説明は省略する。
【００１９】
本実施の形態においては、便蓋３にフラップ覆い体７をピンなどの枢支部材２０を介して自重にて回動自在に枢支連結し、便蓋３の閉じ姿勢において便座２の回動用の左右の枢支箇所間の後端部を覆うようにしたものである。
【００２０】
【発明の効果】
請求項１においては、便器に便座と便蓋を回動自在に設け、便座に暖房手段を付設した暖房便器であって、便蓋に便座の前部及び両側部を覆う覆い片を垂下し、便蓋に便座の回動用の左右の枢支箇所よりも外側方の側部後端面を覆う側部後端覆い片を延出し、更に便蓋に、便座の回動用の左右の枢支箇所間の後端部を覆うフラップ覆い体を揺動自在に設けてあるから、便座の前部及び両側部を便蓋の外周部から垂下した覆い片にて覆うことができ、暖房手段にて暖房されている便座からの放熱を防止することができるという利点がある。
【００２１】
また、請求項１においては、便蓋に、便座の回動用の左右の枢支箇所よりも外側方の側部後端面を覆う側部後端覆い片を延出してあるから、便座の枢支箇所よりも外側方の側部後端面からの放熱を防止することができるという利点がある。
【００２２】
更に、請求項１においては、便蓋に、便座の回動用の左右の枢支箇所間の後端部を覆うフラップ覆い体を揺動自在に設けてあるから、便座の左右の枢支箇所間の後端部を覆うことができ、便座の回動用の左右の枢支箇所間の後端部からの放熱を防止することができるという利点がある。しかも、フラップ覆い体は便蓋に対して揺動自在に連結していて、便蓋を持ち上げた場合にフラップ覆い体が使用者の背中に当たるのを回避することができ、使いやすいという利点がある。
【図面の簡単な説明】
【図１】本発明の実施の形態を示す斜視図である。
【図２】（ａ）は同上の便蓋を閉じた状態の斜視図、（ｂ）は便器の斜視図である。
【図３】同上のフラップ覆い体を示し、（ａ）は起立姿勢の斜視図、（ｂ）は倒立姿勢の斜視図である。
【図４】同上の便蓋の開放状態におけるフラップ覆い体を示す断面図である。
【図５】同上の便蓋の閉じ状態におけるフラップ覆い体を示す断面図である。
【図６】同上の一部破断した分解斜視図である。
【図７】同上の作用を示す説明図である。
【図８】同上の他の実施の形態を示し、（ａ）（ｂ）は動作を示す側面図である。
【符号の説明】
１    便器
２    便座
３    便蓋
５    覆い片
７    フラップ覆い体
１３  側部後端覆い片
【図１】
0003565052.tif 000002
【図２】
0003565052.tif 000003
【図３】
0003565052.tif 000004
【図４】
0003565052.tif 000005
【図５】
0003565052.tif 000006
【図６】
0003565052.tif 000007
【図７】
0003565052.tif 000008
【図８】
0003565052.tif 000009